【事件の表示】
　特願２００７−　８６６９１「白色発光素子」拒絶査定不服審判事件〔平成１９年１０月１８日出願公開、特開２００７−２７３９８９〕について、次のとおり審決する。
【結　論】
　本件審判の請求は、成り立たない。
【理　由】
１　手続の経緯
　平成１９年　３月２９日　特許出願（パリ条約による優先権主張２００６
　　　　　　　　　　　　　年３月３１日、大韓民国）
　平成２２年　８月２３日　拒絶理由通知（同年８月３１日発送）
　平成２２年１１月２６日　意見書・手続補正書
　平成２３年　１月２１日　拒絶査定（同年２月１日送達）
　平成２３年　５月３１日　審判請求書・手続補正書
　平成２３年１２月　８日　審尋（同年１２月１３日発送）
　平成２４年　３月１３日　回答書
　平成２４年　５月２４日　拒絶理由通知（同年５月２９日発送）
　平成２４年１０月　１日　意見書・手続補正書
　平成２４年１２月１４日　拒絶理由通知（同年１２月１８日発送。
　　　　　　　　　　　　　以下「当審拒絶理由通知」という。）
　平成２５年　３月１８日　意見書・手続補正書
　
２　本願発明
　本願の請求項に係る発明は、平成２５年３月１８日付け手続補正により補正された請求項１−１０に記載された事項により特定されるとおりのものであるところ、請求項１は以下のとおりである。
「基板と、
　前記基板上に順次形成されたｎ型半導体層、活性層及びｐ型半導体層を有し第１放出光を出す発光構造物と、
　前記ｐ型半導体層の上面に形成されたｐ側電極と、
　前記ｐ側電極と重畳されないように前記ｐ型半導体層の上面に多数の分離されたパターンで形成され、前記第１放出光の一部を吸収して他の波長の第２放出光に変換させる波長変換用薄膜パターンとを含み、
　前記波長変換用薄膜パターンの前記多数の分離されたパターンの間に前記ｐ型半導体層の上面を露出させて前記第１放出光を選択的に通過させるオープン領域が形成され、
　前記多数の分離されたパターンそれぞれは、前記オープン領域によって囲まれることを特徴とする白色発光素子。」（以下「本願発明」という。）
　
３　当審拒絶理由通知
　当審拒絶理由通知で通知した拒絶理由の概要は、本件出願の特許請求の範囲の請求項に係る発明は、その優先日前に日本国内または外国において頒布された下記の刊行物に記載された発明に基いて、その優先日前にその発明の属する技術の分野における通常の知識を有する者が容易に発明をすることができたものであるから、特許法第２９条第２項の規定により特許を受けることができない、というものである。
　
　　　　　　　　　　　　　　　　　　記
　
・特開２００６−４１０７７号公報（以下「刊行物１」という。）
・特開２００１−２４４５０７号公報（以下「刊行物２」という。）
・特開２００５−３４０２３１号公報（以下「刊行物３」という。）
・特開２００４−１７９６０１号公報（以下「刊行物４」という。）
・特開２００２−１７０９８９号公報（以下「刊行物５」という。）
・特開２００２−７６４３４号公報（以下「刊行物６」という。）
・特開２００２−１９８５６１号公報（以下「刊行物７」という。）
・特開２００５−３４０８５０号公報（以下「刊行物８」という。）
　
４　引用発明
　本願の優先日（２００６年３月３１日）前の平成１８年２月９日に公開され、当審拒絶理由通知で引用した刊行物１（特開２００６−４１０７７号公報）には、図面とともに以下の事項が記載されている（当審注：下線は、引用発明の認定と特に関連する箇所に当審が付加した下線である。）。
　
（１）「【００３１】
こうして得られた本発明の蛍光体を、励起光を発するＬＥＤの発光面に貼付するかまたは、バインダーや溶剤と混合してペーストを作製してＬＥＤの発光面に塗布し硬化させることにより、白色ＬＥＤ等の発光素子を製造することができ、蛍光体を励起光を発するＬＥＤの発光面に貼付して製造された発光素子が好ましい。
【００３２】
発光素子の構造として
青色発光素子（青色ＬＥＤ）の発光面の１／２程度の大きさの、黄色発光の薄片状蛍光体を重ねた構造とする
蛍光体の発する黄色光と青色発光素子の発する青色光が混合されて白色光として視認される白色ＬＥＤとすることができる
　
（２）「【００３３】
　発光素子の構造として、例えば紫外ＬＥＤの発光面を、赤色発光、緑色発光、青色発光の３種類の薄片状蛍光体で覆った構造とすることにより、蛍光体の発する紫外光により３種の蛍光体が励起されて、それぞれが発する赤、青、緑の光が混合されて白色光として視認される白色ＬＥＤとすることができる（図３）。この白色ＬＥＤは、赤、青、緑の光を発しているため、演色性に優れた照明として使用することができ、また液晶ディスプレイのバックライト用にも好適である。また、紫外ＬＥＤの発光面を、赤色発光、緑色発光、青色発光の３種類の薄片状蛍光体で覆った構造を有したこの白色ＬＥＤは、粒径が１〜５μｍの赤色発光、緑色発光、青色発光の３種類の蛍光体粒子の混合粉末が紫外ＬＥＤの発光面に配置された白色ＬＥＤに比較して、粒子の隙間を通過する励起光が無く励起効率が高い点、３種類の薄片状蛍光体の面積を調整することにより容易に色度調整ができる点で優れており、好ましい。」
　
（３）「【図面の簡単な説明】
【００３９】
【図１】本発明の蛍光体の構造の一例を示す断面図。
【図２】本発明の蛍光体を利用した発光ダイオード素子の例。
【図３】本発明の蛍光体を利用した発光ダイオード素子の別の例。
…」
　
（４）図２には、「本発明の蛍光体を利用した発光ダイオード素子の例」が描かれている。上記（１）の記載に照らして図２をみると、薄片状蛍光体５が、発光ダイオード４の発光面に、前記発光面の１／２程度の大きさに形成され、蛍光体からの発光７と発光ダイオードからの発光６を放出する発光ダイオード素子であることが把握できる。
　
　上記（１）〜（４）によれば、刊行物１には、以下の発明が記載されていると認められる。
「青色発光ダイオードの発光面に、黄色発光の薄片状蛍光体を前記発光面の１／２程度の大きさに形成し、黄色発光の薄片状蛍光体からの黄色光と青色発光ダイオードからの青色光が混合され白色光として視認される白色発光ダイオード。」（以下「引用発明」という。）
　
５　対比
　本願発明と引用発明を対比する。
（１）本願発明の「基板と、前記基板上に順次形成されたｎ型半導体層、活性層及びｐ型半導体層を有し第１放出光を出す発光構造物と、前記ｐ型半導体層の上面に形成されたｐ側電極」と、引用発明の「青色発光ダイオード」を対比すると、両者は「ＬＥＤ」である点で一致する。
　
（２）本願発明の「前記ｐ側電極と重畳されないように前記ｐ型半導体層の上面に多数の分離されたパターンで形成され、前記第１放出光の一部を吸収して他の波長の第２放出光に変換させる波長変換用薄膜パターン」であって、「前記波長変換用薄膜パターンの前記多数の分離されたパターンの間に前記ｐ型半導体層の上面を露出させて前記第１放出光を選択的に通過させるオープン領域が形成され、前記多数の分離されたパターンそれぞれは、前記オープン領域によって囲まれる」ことと、引用発明の「青色発光ダイオードの発光面に」「前記発光面の１／２程度の大きさに形成」する「黄色発光の薄片状蛍光体」であって、「黄色発光の薄片状蛍光体からの黄色光と青色発光ダイオードからの青色光が混合され白色光として視認される」ことを対比する。
　引用発明の「青色光」が本願発明の「第１放出光」に相当し、以下同様に、「黄色光」が「第２放出光」に、「発光面の１／２程度の大きさに形成し」た「薄片状蛍光体」が「波長変換用薄膜パターン」に相当する。また、本願発明の「ｐ型半導体層の上面」と引用発明の「青色発光ダイオードの発光面」は、ＬＥＤの上面である点で一致する。
　次に、本願発明の「オープン領域」の技術上の意義について検討する。本願の発明の詳細な説明には、「【００３２】…、上記波長変換用薄膜パターン１０７は、第１放出光Ｂを選択的に通過させるオープン領域を形成する。従って、発光構造物１５０から薄膜パターン１０７側へ進行する第１放出光（青色光；Ｂ）の一部Ｂ１は、波長変換用薄膜パターン１０７物質を通過せずにｐ型半導体層１０４の上面から放出され、他の一部Ｂ２は、波長変換用薄膜パターン１０７物質に吸収されることが出来る。…」との記載がある。該記載より、「オープン領域」は、「第１放出光」が「波長変換用薄膜パターン１０７物質を通過せずに…放出され」る領域を意味するものと認められる。そうすると、引用発明における発光面のうち「薄片状蛍光体」が形成されない領域は、「青色発光ダイオードからの青色光」が「薄片状蛍光体」を通過せずに放出される領域である。よって、引用発明の「発光面」のうち「薄片状蛍光体」が形成されない領域は、本願発明の「オープン領域」に相当する。
　してみると、両者は、「ＬＥＤの上面に形成され、前記第１放出光の一部を吸収して他の波長の第２放出光に変換させる波長変換用薄膜パターン」であって、「ＬＥＤの上面を露出させて前記第１放出光を選択的に通過させるオープン領域が形成され」る点で一致する。
　
（３）引用発明の「白色発光ダイオード」は、本願発明の「白色発光素子」に相当する。
　
（４）以上のことから、本願発明と引用発明は、
「ＬＥＤと
　前記ＬＥＤの上面に形成され、第１放出光の一部を吸収して他の波長の第２放出光に変換させる波長変換用薄膜パターンとを含み、
　ＬＥＤの上面を露出させて前記第１放出光を選択的に通過させるオープン領域が形成される白色発光素子。」
の点で一致し、以下の点で相違する。
　
相違点１：本願発明では、ＬＥＤが「基板と、前記基板上に順次形成されたｎ型半導体層、活性層及びｐ型半導体層を有し第１放出光を出す発光構造物と、前記ｐ型半導体層の上面に形成されたｐ側電極」からなり、「波長変換用薄膜パターン」が「前記ｐ側電極と重畳されないように前記ｐ型半導体層の上面に」形成されるのに対し、引用発明では、「青色発光ダイオード」の具体的な構造が明らかでなく、「薄片状蛍光体」が青色発光ダイオードの発光面に形成されているもののｐ側電極と重畳されないようにｐ型半導体層の上面に形成されるものか否か明らかでない点。
　
相違点２：本願発明では、ｐ型半導体層の上面に形成される「波長変換用薄膜パターン」が「多数の分離されたパターンで形成され」、「オープン領域」が「前記波長変換用薄膜パターンの前記多数の分離されたパターンの間に前記ｐ型半導体層の上面を露出させて」形成され、「前記多数の分離されたパターンそれぞれは、前記オープン領域によって囲まれる」のに対し、引用発明では、そのように形成されていない点。
　
６　判断
　以下、上記相違点について検討する。
（１）相違点１について
　刊行物１の図２には、発光ダイオード４の発光面の右上部（「発光ダイオードからの発光」を示す矢印の右側）であって、薄片状蛍光体５と重ならない領域に、黒く塗りつぶされた楕円と該楕円から延びる線が描かれている。ここで、ＬＥＤがｐ側電極とｎ側電極を有することは技術常識であるところ、該技術常識を踏まえて図２をみると、前記黒く塗りつぶされた楕円と該楕円から延びる線は、電極と電極に接続された配線であると認められる。そうすると、「波長変換用薄膜パターン」が、「電極と重畳されないように…上面に」形成される点は、引用発明も実質的に備えており、この点において実質的に相違するものではない。
　そして、ＬＥＤとして「基板と、前記基板上に順次形成されたｎ型半導体層、活性層及びｐ型半導体層を有し第１放出光を出す発光構造物と、前記ｐ型半導体層の上面に形成されたｐ側電極」を備えること、そして、「波長変換用薄膜パターン」が前記ｐ型半導体層の上面に形成されることは、例えば、刊行物２（特に、【００１５】、図１を参照。）、刊行物３（特に、図１及びその説明箇所を参照。）に記載されるよう周知の技術手段（以下「周知技術１」という。）である。そうすると、引用発明の「青色発光ダイオード」の構造と「薄片状蛍光体」を設ける位置として、上記周知技術１を採用し、上記相違点１に係る本願発明の発明特定事項と為すことは、当業者が容易に想到し得たことと認められる。
　
（２）相違点２について：
　「多数の分離されたパターンで形成」し、「オープン領域」が「前記波長変換用薄膜パターンの前記多数の分離されたパターンの間に」形成され、「前記多数の分離されたパターンそれぞれは、前記オープン領域によって囲まれる」「波長変換用薄膜パターン」は、例えば、刊行物４〜刊行物８に記載されるよう周知の技術手段（以下「周知技術２」という。）である（刊行物４は【０００６】及び図６等参照。刊行物５は図１〜図４等参照。刊行物６は【００１６】等参照。刊行物７は【００５５】〜【００６６】及び図８等参照。刊行物８は【００２３】及び図５参照。）ところ、引用発明の「薄片状蛍光体」のパターン形状として上記周知技術２を採用することに困難性は無い。そして、引用発明の「薄片状蛍光体」は発光面上に形成されるところ、上記相違点１についての判断に記載したとおり、「青色発光ダイオード」の構造として上記周知技術１を採用した際には、「前記多数の分離されたパターンの間に」、ｐ型半導体層が露出することは明らかである。
　してみると、引用発明に、上記周知技術２を採用し、上記相違点２に係る本願発明の発明特定事項と為すことは、当業者が容易に想到し得たことと認められる。
　
（３）作用効果について
　本願発明が奏する作用効果は、引用発明、上記周知技術１、２に基づいて当業者が予測しうる程度のものであって、格別のものとは認められない。
　
（４）小括
　以上のとおり、本願発明は、引用発明、上記周知技術１、２に基いて当業者が容易に発明をすることができたものと認める。
　
７　むすび
　以上のとおり、本願発明は、引用発明、上記周知技術１、２に基いて当業者が容易に発明をすることができたものであるから、特許法第２９条第２項の規定により特許を受けることができないものである。　
　よって、上記結論のとおり審決する。